(57)【特許請求の範囲】
【請求項１】
両端部に飲料コップと食品容器が収納される収納孔をそれぞれ２箇所設けた天板部と底板部とで構成され、前記天板部と底板部の中央部に折り曲げ線が設けられ、前記天板部の両端に糊代部が各々１箇所設けられ、前記底板部の両端に糊代部が各々１箇所設けられ、該天板部と該底板部が貼りあわされ、天板部または底板部のいずれか一方の中央部に支柱部が設けられた飲食容器連結ホルダーであって、該支柱部は左右に略９０度動き、該支柱部を立たせ、該支柱部を挟んで天板部と底板部とで略三角形を左右に構成することを特徴とする飲食容器連結ホルダー。
【発明の詳細な説明】
【技術分野】
【０００１】
本発明は、飲料用容器と食品用容器を片手で持ち飲食できるよう対策を施した、飲食容器連結ホルダーに関するものである。
【背景技術】
【０００２】
従来、飲料容器と食品用容器を片手で持って飲食できる連結装置は知られている。
【先行技術文献】
【特許文献】
【０００３】
【特許文献１】特開２０００−３３５５５２
【発明の概要】
【発明が解決しようとする課題】
【０００４】
特許文献１のようなスナック類携帯容器は、組み立て工程が複雑であることと、カップ収納部が組み立て式でなく糊付けされ四角形状が維持されることで製品が嵩張り、保管場所や輸送コストが高くつき業務用では不向きであることと、スナック類収納部の組み立てにも時間がかかることで業務用では販売ロスを起こすと言った問題点と、製造コストが高くなり製品価格が高くなると言った問題点があった。
【０００５】
また、市販の飲料用カップはサイズや種類が多く、特許文献１のスナック類携帯容器は収納部及び開口部の寸法が一定寸法で固定されるため、開口部のサイズに適したカップしかカップ類収納部に保持させることができず、汎用性が低く、利便性が悪いという問題点があった。
【０００６】
また、カップ収納部が大きすぎると言った問題と、四角形状をしているため片手で持ち難いと言った問題点があった。
【０００７】
また、製品を使用し飲食物を販売する現場で求められていることは、如何に作業性を早め顧客を待たせず、回転率を高めるかである。そのような販売現場で組み立て作業に時間がかかる製品は受け入れられない。
【０００８】
本発明の飲食容器連結ホルダーは従来例の上記欠点を解消し、片手で飲料容器を持ち、もう一方の手で食品類を取り出し食すことが簡単に行え、組み立ての作業性が早く、１個の装置であらゆるサイズの飲料用カップと食品用容器に対応でき、安価で提供できる飲食容器連結ホルダーを提供するものである。
【課題を解決するための手段】
【０００９】
請求項１に記載の発明は、両端部に飲料コップと食品容器が収納される収納孔をそれぞれ２箇所設けた天板部と底板部とで構成され、前記天板部と底板部の中央部に折り曲げ線と、前記天板部の両端に糊代部を各々１箇所と、前記底板部の両端に糊代部を各々１箇所設け、該天板部と該底板部を貼り合わせ、天板部に設けた支柱部か、または、底板部の中央部に設けた支柱部のいずれか一方にして、該支柱部は左右に略９０度動き、該支柱部を立たせ、該支柱部を挟んで天板部と底板部とで略三角形を左右に構成することを特徴とする。
【発明の効果】
【００１０】
本発明は以上述べたように構成されているので、以下に記載されるような効果を奏す。
【００１１】
本発明の飲食容器連結ホルダーによれば、飲料カップないし食品容器のいずれかを片手でじかに把持する構造にしているため、飲料カップや食品容器を収納する収納部を設ける必要が無く、構造自体を簡単にすることができる。
【００１２】
本発明の飲食容器連結ホルダーによれば、簡単構造で組み立ても瞬時にできるため作業性が早く安価で提供できる。
【００１３】
本発明の飲食容器連結ホルダーによれば、天板部と底板部に設ける中空洞の収納孔の直径を、飲料用カップ収納孔で７８ｍｍ〜８０ｍｍとすることで、紙カップ容量１２オンスから２４オンスまでのサイズに対応でき、食品用容器収納孔の直径を６８ｍｍ〜７０ｍｍとすることで、紙カップ容量７オンスから１４オンスに対応でき汎用性と利便性が高まる。しかし、収納孔の大きさを限定するものでは無く、収納孔は飲料カップと食品容器の開口部より狭い大きさであれば、抜け落ちたりすることが無く、収納孔の口径を変えることでより多くのサイズの容器に対応できる。
【００１４】
本発明の飲食容器連結ホルダーによれば、表面と裏面の形状が同じであるため、どちらの方向でも使用できるため利便性と作業性が高まる。
【００１５】
本発明の飲食容器連結ホルダーによれば、飲食容器連結ホルダーが折りたたみできる構造であるため、平面状になり保管場所や輸送コストが軽減できる。
【００１６】
本発明の飲食容器連結ホルダーによれば、飲料用カップと食品用容器の形状によって収納孔の形状を円型及び四角型等の形状にすることができ利便性と汎用性が広がる。
【図面の簡単な説明】
【００１７】
【図１】飲食容器連結ホルダー製作上の一例を示す展開平面図である。
【図２】飲食容器連結ホルダー支柱部の斜視図である。
【図３】収納時の飲食容器連結ホルダーの斜視図である。
【図４】飲食容器連結ホルダーの組み立てを示す斜視図である。
【図５】飲食容器連結ホルダー組み立て時の斜視図である。
【図６】飲食容器連結ホルダーの使用例を示す斜視図である。
【図７】飲食容器連結ホルダーの使用例を示す斜視図である。
【図８】飲食容器連結ホルダー製作上の一例を示す展開平面図である。
【発明を実施するための形態】
【００１８】
以下、図面を参照しつつ本発明を実施するための最良の形態について説明する。
【００１９】
図１は本発明の飲食容器連結ホルダーの製作上の一実施例を示す展開平面図、図２、図３は飲食容器連結ホルダーの支柱部と飲食容器連結ホルダーの収納時を示す斜視図、図４、図５は飲食容器連結ホルダー組み立て方と組み立て終了時を示す斜視図、図６、図７は飲食容器連結ホルダーの使用例を示す斜視図、図８は飲食容器連結ホルダー製作上の一例を示す展開平面図である。
【００２０】
図１は、本発明の飲食容器連結ホルダーの製作上の一例を示す展開平面図である。天板部２と底板部３を構成する２枚のシート状で形成され、天板部２は中央に中央部折り曲げ線a1と、飲料カップ６と食品容器７を収納する収納孔４を該中央部折り曲げ線a1両端部に設け、両収納孔の両片端に糊代部c1,c2を配した構造である。また、底板部３は、中央に中央部折り曲げ線a2と、該中央部折り曲げ線a2の両端に支柱部５と糊代部d1,d2を備え、前記支柱部５を構成する両端に支柱部折り曲げ線b1,b2を配置し、前記支柱部折り曲げ線b1,b2の両端部に収納孔４と糊代部c3,c4を具備する構造としたものである。
【００２１】
図１で示した収納孔４の形状や口径は限定するものでは無く、円型や四角形等でも構成することが可能であり、また、収納孔４の口径は飲料カップ６や食品容器７のカップ開口部１１より狭い口径であれば、飲料カップや食品容器が収納孔４から抜け落ちたりすることが無い。
【００２２】
図１で構成された本発明の飲食容器連結ホルダーの組み立て方法を説明する。底板部３の中央部に設けた中央部折り曲げ線a2を折り曲げ、２箇所に設けた支柱部折り曲げ線b1,b2を折り曲げると、支柱部５が立ち上がり、重なり合う支柱部５を糊代部d1,d2で固着すると図２で示す状態となる。次に、固着し立ち上がった支柱部をどちらか左右一方に９０度折り曲げ、天板部２の糊代部c1,c2と底板部３の糊代部c3,c4で貼り合わせると図３に示す飲食容器連結ホルダーが完成する。
【００２３】
図４、図５は、図３で示す平面上に折りたたまれた飲食容器連結ホルダー１の組み立てと、形状を示したものである。折りたたまれた支柱部５を指９で中央部折り曲げ線裏面a3まで押し上げると、支柱部５が中央部折り曲げ線裏面a3と接し、支柱部５の左右対称に略三角形が形成され、カップ重量の力の分散が図れる構造としたものである。加えて、飲食容器連結ホルダーの材質が紙等の薄い物でも、この略三角形が形成されることで力の分散が図られ、強度に問題がなくなる。繰り返し述べれば、指９で支柱部５を簡単に立ち上げ、この略三角形を作ることができるということは、コンビニ、ファストフード店等の店員さんが何の労力もいらず作業性が高まる。
【００２４】
図６は、冷たい清涼飲料水や炭酸飲料水を飲食する場合の飲食容器連結ホルダー１の使用例を示した斜視図である。両収納孔４に飲料水を入れストロー８を装備した飲料カップ６と、食品を入れた食品容器７を装着し、いずれか一方の手で飲食容器連結ホルダーの下部面にある飲料カップ６ないし食品容器７下端部のいずれか一方を片手で把持し、指９でホルダー支え面１３を受けることで安定して保持できる。また、飲食容器連結ホルダー１の中央部が支柱部５を立ち上げることで上下に天板部と底板部が開き、両容器の側面２箇所に接する、容器接触面１２に接触することで横ブレを防止できる構造とした。
【００２５】
図７は、ストロー８を使わないでビールやホットコーヒー等を飲食する場合の飲食容器連結ホルダー１の使用例を示したものである。両収納孔４にビールやホットコーヒーの入った飲料カップ６と食品容器７をそれぞれ装着し、ビールやホットコーヒーを飲料する場合、食品容器７を一旦収納孔４から取り外し、飲食容器連結ホルダー１に装着した状態で飲料カップ６を口元に運び飲料する。食品容器７を片手で把持して、飲料カップ６を取り外して飲料する方法でも良い。つまり、どちらか一方を取り出しても良い。
【００２６】
図８は、飲食容器連結ホルダー製作上の一例を示す展開平面図である。本発明の飲食容器連結ホルダー１を構成する、天板部２と底板部３が１枚のシート状で形成されている。両端に収納孔４と支柱部５を配置し、糊代部d1,d2,c3,c4と支柱部折り曲げ線b1,b2を設けた底板部３に連結させて、天板部２を配置し、天板部中央部に中央部折り曲げ線a1と、その両端に収納孔４と糊代部c1,c2を設け、底板部３と接する天板部２に折り曲げ線１４を２箇    所具備した構造である。
【００２７】
図８で構成された本発明の飲食容器連結ホルダーの組み立て方法を説明する。底板部３に設けた支柱部折り曲げ線b1,b2を折り曲げ、次に、天板部２に接する折り曲げ線１４を折り曲げると、底板部３と天板部２が重なり、重なり合う面に設けた糊代部c1と糊代部c3を固着し、また、糊代部c2と糊代部c4を固着する。次に、折り曲げられた支柱部５が中央で重なり合い、重なり合う面に設けた糊代部d1とd2を固着すれば図３に示す飲食容器連結ホルダーとなる。しかし、本発明の飲食容器連結ホルダーの製作方法は一例を示したものであり、図１、図８に示すような構造に限定するものではない。
【符号の説明】
【００２８】
１    飲食容器連結ホルダー
２    天板部
３    底板部
４    収納孔
５    支柱部
６    飲料カップ
７    食品容器
８    ストロー
９    指
１０  手
１１  カップ開口部
１２  容器接触面
１３  ホルダー支え面
１４  折り曲げ線
a1    中央部折り曲げ線
a2    中央部折り曲げ線
a3    中央部折り曲げ線裏面
b1    支柱部折り曲げ線
b2    支柱部折り曲げ線
c1    糊代部
c2    糊代部
c3    糊代部
c4    糊代部
d1    糊代部
d2    糊代部
【図１】
0006034431.tif 000002
【図２】
0006034431.tif 000003
【図３】
0006034431.tif 000004
【図４】
0006034431.tif 000005
【図５】
0006034431.tif 000006
【図６】
0006034431.tif 000007
【図７】
0006034431.tif 000008
【図８】
0006034431.tif 000009